(57)【要約】      （修正有）【課題】冷蔵庫に収納される食品のバーコード情報を収納時に確実に読み取り、管理する冷蔵庫を提供する。【解決手段】第１バーコード読み取り装置ＢＲ１は、冷蔵庫１の冷蔵室の開閉を行う扉２の開閉側に該当する一方の側面部２ＤＡの内で、扉２が冷蔵室を閉じている場合において外部より視認されない部分に埋設されており、そのバーコード読み取り面のみが露出されている。第２バーコード読み取り装置ＢＲ２は、冷蔵庫１の野菜室の引き出し扉３の一方の側面部３ＤＡの内で野菜室が閉じられている場合において外部より視認されない部分に埋設されており、そのバーコード読み取り面のみが露出されている。第３バーコード読み取り装置ＢＲ３は、冷凍室の引き出し扉４の側面部４ＤＡの内で冷凍室が閉じられている場合において外部より視認されない部分に埋設されており、そのバーコード読み取り面のみが露出されている。【選択図】図１
0003191774.tif 000002
【実用新案登録請求の範囲】
【請求項１】
少なくとも冷蔵室を有する冷蔵庫本体と、
前記冷蔵室の開閉を行う扉と、
前記扉の開閉側に該当する一方の側面部に埋設されており、且つ、露出されたバーコード読み取り面を有する第１バーコード読み取り装置と
を備えることを特徴とする、冷蔵庫。
【請求項２】
請求項１に記載の冷蔵庫であって、
前記第１バーコード読み取り装置は、前記一方の側面部の内で、前記扉が前記冷蔵室を閉じている場合において外部より視認されない部分に埋設されている
ことを特徴とする、冷蔵庫。
【請求項３】
請求項１又は２に記載の冷蔵庫であって、
前記冷蔵庫本体は更に引き出し自在の野菜室を有しており、
前記野菜室の引き出し扉の上面部又は一方の側面部の何れかの内で、前記野菜室が閉じられている場合において外部より視認されない部分に埋設されており、且つ、露出されたバーコード読み取り面を有する第２バーコード読み取り装置を
更に備えることを特徴とする、冷蔵庫。
【請求項４】
請求項１乃至３の何れか１項に記載の冷蔵庫であって、
前記冷蔵庫本体は更に引き出し自在の冷凍室を有しており、
前記冷凍室の引き出し扉の上面部又は一方の側面部の何れかの内で、前記冷凍室が閉じられている場合において外部より視認されない部分に埋設されており、且つ、露出されたバーコード読み取り面を有する第３バーコード読み取り装置を
更に備えることを特徴とする、冷蔵庫。
【考案の詳細な説明】
【技術分野】
【０００１】
この考案は、バーコード読み取り装置（バーコードリーダー）を備える、家庭用の冷蔵庫の構造に関する。
【背景技術】
【０００２】
一年間に発生している食品廃棄物の量は、２０１０年の統計によれば、１，９００万トンにも達しており、しかも、その内で、食べられるのに廃棄されてしまっている食品廃棄物の量は５００万〜９００万トンに達している。特に、一般家庭より廃棄される食品廃棄物の量は１，１００万トンもあり、その内の可食廃棄物の量は２００万〜４００万トンであって、食品関連事業者から廃棄される可食廃棄物の量と比べても少なくない量である。
【０００３】
これらの食品廃棄物の内でも一般家庭から発生する食品廃棄物の量の増加は、地球の環境問題に密接に拘わる事項である。即ち、一般家庭から生じる食品廃棄物の多くは、可燃ゴミとして焼却処分され、最終的には埋め立て処分されることになる。その焼却処分の際に発生する二酸化炭素の量を削減する観点から見れば、加えて、埋め立て地から生じるガスの量を削減する観点から見れば、一般家庭から発生する食品廃棄物の量の増大化は、黙認できない、緊急の対策を施す必要性の高い地球環境上の問題点である。
【０００４】
この一般家庭より廃棄される可食廃棄物が生じる原因としては、１）食品の賞味期限を過ぎてしまっている場合、２）過剰に料理をしすぎたために余分な食品が廃棄されている場合等々である。斯かる観点からは、冷蔵庫内に収納保管されている各種食品の賞味期限が適切に管理されていれば、賞味期限を過ぎてしまって廃棄される食品廃棄物の量をもっと減らすことができたものと、考えられる。
【０００５】
そこで、一般家庭から出る食品廃棄物の原因の一つを成す「賞味期限切れ」による食品の廃棄の量を削減することが求められる。
【０００６】
その様な対策としては、従来、食品等を冷蔵又は冷凍で保管する冷蔵庫にバーコードリーダーを配設し、当該バーコードリーダーによって、冷蔵庫に収納される食品の包装等に付されているバーコードに含まれている各種の食品情報を読み取り、それらの情報を冷蔵庫に設けたディスプレイ装置に表示する技術が提案されている（特許文献１，３，５参照。）
【先行技術文献】
【特許文献】
【０００７】
【特許文献１】特開平１０−３１１６６５号
【特許文献２】特開２０００−６５４６５号
【特許文献３】特開２０００−１３０９１６号
【特許文献４】特開２００１−３１７８６２号
【特許文献５】特開２００２−１４７９３１号
【特許文献６】特開２００２−２６７３３７号
【特許文献７】特開２００２−３３４３０８号
【特許文献８】特開２００４−１１１７２３号
【特許文献９】特開２００５−９１９９５号
【特許文献１０】特開２００６−２８５９２４号
【特許文献１１】特開２００７−１１５２２０号
【考案の概要】
【考案が解決しようとする課題】
【０００８】
しかし、特許文献１及び特許文献５に於いては、冷蔵庫の扉の外側正面の表面部に設けたケース本体に又は当該表面部の直上にバーコードリーダーが設けられている。又、特許文献３では、冷蔵庫に接続されたバーコードリーダーが、冷蔵庫の外部に設けられている。
【０００９】
しかし、従来技術に係るバーコードリーダーは冷蔵庫の扉の外側正面の表面部に設けられているため、バーコードリーダーで各食品に付されたバーコードを読み取らす作業と、当該食品を冷蔵庫の各室内に収納する作業とは別個の作業となる。そのため、購入してきて直ぐに要冷蔵又は要冷凍すべき食品等を、当該バーコードリーダーでの読み取り操作が完了するまでは、冷蔵庫の冷蔵室及び冷凍室内に即座に収納することが出来ないという問題点が生じる。或いは、正面部分に向かってバーコードを読み取らす動作を行っている人が、読み取り対象の全ての食品等のバーコード読み取り作業を完了し得ず、バーコードの読み取り作業を行う食品等に洩れが生じてしまうことも起こり得る。即ち、正面部分に向かってバーコードを読み取らす動作を行っている人は、どの食品等について、バーコード読み取り作業を行うべきか、何れの食品等のバーコード読み取り作業が既に終わっているのかを把握仕切れずに、混乱状態をもたらしかねない。
【００１０】
又、冷蔵庫が家電製品であることに鑑みれば、扉正面の表面部に明らかに視認可能なバーコードリーダーが配設されていることは、外観上見栄えが良くなく、家電製品としての審美性を損なうという問題点もある。
【００１１】
この考案は、以上の問題点に鑑みて成されたものであり、その主目的は、要冷蔵の又は要冷凍の個々の飲食品に表示されているバーコードに含まれる情報（商品名、賞味期限、二酸化炭素消費料等）をより短時間で即座に且つ読み忘れることなく確実にバーコードリーダーによって飲食品一個ずつに関して読み取って、読み取り後に即時に当該飲食品を即時に冷蔵庫の冷蔵室等の該当場所に収納可能とすることにある。
【００１２】
又、本考案の副次的目的は、その様な付属品たるバーコードリーダーの外観に対する見た目乃至は審美性を良好なレベルにまで高め得る冷蔵庫のバーコードリーダーの構造を提案することにある。
【課題を解決するための手段】
【００１３】
本考案の主題に係る冷蔵庫は、少なくとも冷蔵室を有する冷蔵庫本体と、前記冷蔵室の開閉を行う扉と、前記扉の開閉側に該当する一方の側面部に埋設されており、且つ、露出されたバーコード読み取り面を有するバーコード読み取り装置とを備えることを特徴とする。
【００１４】
特に、本考案の主題に係る冷蔵庫に於けるバーコード読み取り装置は、前記一方の側面部の内で、前記扉が前記冷蔵室を閉じている場合において外部より視認されない部分に埋設されている。
【考案の効果】
【００１５】
本考案の主題によれば、人が、購入して自宅に持ち帰った要冷蔵の飲食品を冷蔵室内に収納する際に、当該飲食品又はその包装に付されたバーコードを扉の開閉側の側面部に埋設されているバーコード読み取り装置の露出したバーコード読み取り面に対面配置することで、バーコード読み取り装置は確実に当該飲食品のバーコード情報を読み取ることが出来る。その後、人は、当該読み取り作業を終えて、当該飲食品をそのまま扉を開けた状態にて冷蔵室内に素早く且つ確実に収納することが出来る。その結果、冷蔵室内に収納される全ての飲食品のバーコード情報が確実に且つ素早く読み取られて電気的に管理することが可能となると共に、要冷蔵の各飲食品を素早く且つ確実に冷蔵室内に収納することが可能となる。しかも、本考案の主題に係る冷蔵庫に於いては、バーコード読み取り面のみが冷蔵庫の扉の側面部に於いて露出されているだけなので、バーコード読み取り面の存在は外部からは目立たなく視認され難いので、冷蔵庫本体の外観の審美性を好ましい印象を受けるレベルに設定することが出来る。
【００１６】
特に、本考案の主題に係る冷蔵庫のバーコード読み取り装置が、そのバーコード読み取り面を除いて、扉が冷蔵室を閉じている場合において外部より視認されない部分に埋設されている場合には、冷蔵庫本体の外観の審美性を、より一層に好ましい印象を受けるレベルにまで高めることが出来る。しかも、その埋設場所は、扉の一方の側面部の内でも冷蔵室側により近寄った箇所にあるため、人は、飲食品の冷蔵室内への収納作業時に於いて、扉を開いた状態を維持しつつ、より一層素早く且つより一層容易に、当該飲食品のバーコードをバーコード読み取り面に対面配置させることが出来、その結果、当該飲食品をより短時間で素早く冷蔵室内に収納することが可能となる。
【００１７】
以下、本考案の様々な具体化を、添付図面を基に、その効果・利点と共に、詳述する。
【図面の簡単な説明】
【００１８】
【図１】本考案の実施の形態１に係る冷蔵庫の正面視構造を模式的に示す図である。
【図２】本考案の実施の形態１に係る冷蔵庫に於いて、開いた状態にある扉の開閉側の側面部の構造を模式的に示す拡大図である。
【図３】本考案の実施の形態１に係る冷蔵庫に於いて、引き出された状態にある野菜室又は冷凍室の引き出し扉の側面部の構造を模式的に示す図である。
【図４】本考案の実施の形態１に係る冷蔵庫に於ける制御部の構成を模式的に示すブロック図である。
【図５】本考案の実施の形態１に係る冷蔵庫の制御部に記憶されているデータのテーブル表示を模式的に示す図である。
【図６】本考案の実施の形態１に係る冷蔵庫の制御部に記憶されている別のデータのテーブル表示を模式的に示す図である。
【考案を実施するための形態】
【００１９】
（実施の形態１）
＜本実施の形態に係る家庭用冷蔵庫の特徴点＞
【００２０】
本実施の形態に係る家庭用冷蔵庫（以下、単に「冷蔵庫」という。）の構造の中核部は、１）当該冷蔵庫本体の冷蔵室の開閉を行う扉の一方の側面部に、審美性の点で、好ましくは、２）側面部の内でも冷蔵室を閉じている場合に外部より視認されない部分、即ち、吸盤部分よりも内側の側面部に、バーコード読み取り装置が埋設されている点にある。そして、３）バーコード読み取り装置のバーコード読み取り面のみが当該側面部分に於いて露出されており、その他の部分は埋設されている。４）上記冷蔵庫本体の野菜室及び冷凍室の引き出し扉においても、その上面部又は側面部の内の一方に、同様の形態にて、別のバーコード読み取り装置が配設されている。以下、これらの特徴点を、図面を参照しつつ具体的に記載する。
【００２１】
＜冷蔵庫１の中核部分の構造＞
図１は、冷蔵庫（「冷蔵庫本体」に該当。）１の正面視を模式的に示す正面図であって、各扉が閉められている状態を示す図である。図１では、便宜上、冷蔵庫１内の他部分に設けられている制御部７等の電気系統部分は、破線、破線の矢印又は実線の矢印にて示されている。
【００２２】
冷蔵庫１は、大要、ａ）冷蔵しておくことが好ましい一般的な飲食品（卵、牛乳パック等々）が収納されて当該飲食品を設定された環境条件にて冷却保管している、開閉自在な冷蔵室、ｂ）主として野菜又は果物が収納されて当該野菜等を設定された環境条件にて冷却保管している、引き出し自在な野菜室、ｃ）主として冷凍食品が収納されて当該冷凍食品を設定された環境条件にて冷却保管している、引き出し自在な冷凍室を備える。更に、冷蔵庫１は、ｄ）水より氷を生成する製氷室、及び、ｅ）保冷剤等が含まれたパックを冷凍している保冷剤室を有する。
【００２３】
又、図２は、図１の冷蔵庫１の開閉扉（以下「扉」という。）２の一方の側面部２ＤＡの構造を模式的に拡大化して示す図であり、扉２が開けられている状態を示している。又、図３は、図１の冷蔵庫１の上記野菜室（又は上記冷凍室）の引き出し扉３（４）の上面部及び一方の側面部３ＤＡ（４ＤＡ）の構造を模式的に拡大化して示す図であり、引き出し扉３（４）が人の手前に引き出された状態を示している。その結果、野菜等（冷凍食品）が収納される収納箱３ＢＸ（４ＢＸ）の引き出し扉３（４）側の一部分が、図３に於いて示されている。
【００２４】
図１及び図２に於いて、扉２は、その他方の側面部２ＤＢを回動軸として回動方向Ｄ１に沿って回動自在な扉であり、上記の冷蔵室の開閉を行う機能を奏する扉である。そして、扉２の表面２Ｓの略中央部分には、液晶ディスプレイ（ＬＣＤ）装置８が配設されている。このＬＣＤ装置８は、バーコード情報に基づいて制御部７より生成される画像信号に応じて、後述する各種のテーブルデータを表示する。
【００２５】
図１及び図３に於いて、扉３は、前後方向Ｄ２に沿って引き出し自在な野菜室用の引き出し扉であり、扉４は、同じく前後方向Ｄ２に沿って引き出し自在な冷凍室用の引き出し扉である。
【００２６】
又、図１に於いて、扉５は前後に引き出し自在な上記製氷室の引き出し扉であり、扉４は同じく前後に引き出し自在な上記保冷剤室用の引き出し扉である。
【００２７】
そして、第１バーコード読み取り装置ＢＲ１が、そのバーコード読み取り面ＢＲ１Ｓのみが外部に露出する態様で以って、扉２の開閉側に該当する一方の側面部２ＤＡの内で、扉２が上記冷蔵室を閉じている場合において外部より全く視認されない部分に、全体的に埋設されている。第１バーコード読み取り装置ＢＲ１は、市場に於いて入手可能な汎用品であって良く、冷蔵室内に収納される飲食品自体に又はその包装（袋又は箱）に表示されているバーコードに含まれている種々の情報を、人が当該飲食品のバーコードをバーコード読み取り面ＢＲ１Ｓの前方に配置させることで、光学的に読み取る装置である。特に、冷蔵庫の様な家電製品に於いては、一般的に、その外観の見た目の良さ、即ち、好ましい高レベルの審美性が求められる。そのため、好ましい態様として、第１バーコード読み取り装置ＢＲ１は、一方の側面部２ＤＡの内で、吸盤部分２ＤＡＡ（図示の便宜上、ハッチング表示されている。）よりも内側部分乃至は冷蔵室側部分に設けられている、上下方向に延在する一方の壁部分２ＤＡＰ内に、埋設されている。但し、その読み取り面ＢＲ１Ｓのみが埋設されること無く、外側に露出している。一方の壁部分２ＤＡＰは、他の側面部２ＤＢ側の壁部分（図示せず。）と共に、卵等の食料品及び牛乳パック等の飲料品（それらは図２では破線で示されている。）を収納する各場所を規定している。市場で入手可能なワイヤレスのバーコード読み取り装置の寸法は、例えば、横６５ｍｍ×縦２４ｍｍ×厚み１４ｍｍである。その重さは約２５ｇであり、軽量化されている。従って、その寸法・構造から判断して、扉２の一方の壁部分２ＤＡＰ（例えば幅５ｃｍ〜７ｃｍ程。）は、第１バーコード読み取り装置ＢＲ１をそこに埋設するために必要な厚み及び幅の寸法を備えている。第１バーコード読み取り装置ＢＲ１は、バーコード内の各種情報を、露出した読み取り面ＢＲ１Ｓより取得した後、当該バーコード情報を与える第１バーコード情報信号Ｓ１を制御部７へ出力する。
【００２８】
他方、図１及び図３に示される様に、第２バーコード読み取り装置ＢＲ２が、そのバーコード読み取り面ＢＲ２Ｓのみが外部に露出する態様で以って、引き出し扉３の一方の側面部３ＤＡの内で、引き出し扉３が上記野菜室を閉じている場合において外部より完全に視認されない部分に、全体的に埋設されている。より具体的には、第２バーコード読み取り装置ＢＲ２は、引き出し扉３の一方の側面部３ＤＡの内で、吸盤部分３ＤＡＡ（便宜上、図３ではハッチング表示されている。）よりも内側の部分（収納箱３ＢＸの手前側一端部が接続・支持される部分。）３ＤＡＰ内に埋設されている。但し、バーコード読み取り面ＢＲ２Ｓは、同部分３ＤＡＰに於いて、埋設されること無く、全体的に露出している。第２バーコード読み取り装置ＢＲ２も、第１バーコード読み取り装置ＢＲ１と同様に、市場に於いて入手可能な汎用品であって良い。従って、引き出し扉３の一方の側面部３ＤＡの内側部分３ＤＡＰは、第２バーコード読み取り装置ＢＲ２をその内部に埋設し得る寸法・構造を有している。そして、第２バーコード読み取り装置ＢＲ２は、野菜等の包装袋に表示されているバーコード内の各種情報を、露出した読み取り面ＢＲ１Ｓより取得した後、当該バーコード情報を与える第２バーコード情報信号Ｓ２を制御部７へ出力する。尚、第２バーコード読み取り装置ＢＲ２は、同様の態様で以って、引き出し扉３の他方の側面部３ＤＢの対応部分に埋設されても良い。
【００２９】
更に、図１及び図３に示される様に、第３バーコード読み取り装置ＢＲ３が、そのバーコード読み取り面ＢＲ３Ｓのみが外部に露出する態様で以って、引き出し扉４の一方の側面部４ＤＡの内で、引き出し扉４が上記冷凍室を閉じている場合において外部より完全に視認されない部分に、全体的に埋設されている。より具体的には、第３バーコード読み取り装置ＢＲ３は、引き出し扉４の一方の側面部４ＤＡの内で、吸盤部分４ＤＡＡ（便宜上、図３ではハッチング表示されている。）よりも内側の部分（収納箱４ＢＸの手前側一端部が接続・支持される部分。）４ＤＡＰ内に埋設されている。但し、バーコード読み取り面ＢＲ３Ｓは、同部分４ＤＡＰに於いて、埋設されること無く、全体的に露出している。第３バーコード読み取り装置ＢＲ３も、第１バーコード読み取り装置ＢＲ１と同様に、市場に於いて入手可能な汎用品であって良い。従って、引き出し扉４の一方の側面部４ＤＡの内側部分４ＤＡＰは、第３バーコード読み取り装置ＢＲ３をその内部に埋設し得る寸法・構造を有している。そして、第３バーコード読み取り装置ＢＲ３は、冷凍食品の包装袋に表示されているバーコード内の各種情報を、露出した読み取り面ＢＲ３Ｓより取得した後、当該バーコード情報を与える第３バーコード情報信号Ｓ３を制御部７へ出力する。尚、第３バーコード読み取り装置ＢＲ３は、同様の態様で以って、引き出し扉４の他方の側面部４ＤＢの対応部分に埋設されても良い。
【００３０】
＜冷蔵庫１の制御部７等の電気系統の構成＞
【００３１】
図４は、図１に制御部７の構成を模式的に示すブロック図である。図４に於いて、制御部７は、その中核を成すＣＰＵ７Ａと、データーベースを成す記憶部７Ｂより成る。
【００３２】
ＣＰＵ７Ａは、第１乃至第３バーコード情報信号Ｓ１，Ｓ２，Ｓ３を、例えばワイヤレスにて受信して、各冷蔵飲食品のバーコード情報、野菜・果物等の各食品のバーコード情報、及び各冷凍食品のバーコード情報を取得し、それらのデータをテーブル形式（例えばルックアップテーブル）にて記憶部７Ｂに格納する。
【００３３】
ここで、各種飲食品の「バーコード情報」としては、例えば、「商品名」、「商品記号（商品型番）」、「賞味期限」、「製造年月日」、「製造ロット番号」、「商品製造時に消費したＣＯ２の量」（ＣＯ２消費料）等の情報が含まれている。制御部７は、これらのバーコード情報を与えるデータ信号Ｓ１〜Ｓ３を有効に取得・管理することで、冷蔵庫１内に収納されている飲食品が如何なる商品であって、且つ、現時点で、その賞味期限が近づいているか否か等の判断を、及び、その製造時の消費した二炭化酸素量のデータ保管を電気的に制御し得る。
【００３４】
ＣＰＵ７Ａは、それらのバーコード情報を与えるデータを、図５又は図６に例示する様に、テーブル形式で、データーベースを成す記憶部７Ｂに格納・管理する。ある飲食品が冷蔵庫１内の対応する室内に収納されると、該当する信号Ｓ１〜Ｓ３が与えるデータに基づき、ＣＰＵ７Ａは、当該飲食品の商品名、その商品記号、その賞味期限、入室日時（制御部７内のタイマー（図示せず。）により日時データを取得する。）の各データをテーブル形式にまとめた上で、記憶部７Ｂに格納して同部７Ｂに各テーブルデータを記憶させる。又、商品の製造時から当該商品の焼却までの過程で発生するＣＯ２等の消費量を捻出する際の元となる製造時のＣＯ２消費量のデータをも、別途に、ＣＰＵ７Ａは、テーブル形式で、データーベースを成す記憶部７Ｂに格納する。冷蔵庫１内に収納されている当該飲食品が一旦、冷蔵庫１より取り出される場合には、ＣＰＵ７Ａは、その取り出し時に読み取られたバーコード情報を逐一、対応する商品名毎に管理して記憶していく。これらの電気的処理により、ＣＰＵ７Ａは、現在、冷蔵庫１内に収納・保管されている商品は如何なる物であって、その商品の賞味期限が近づいてきているか否か（現時点と賞味期限との時間差が所定の時間以下に達しているか否か）を判定する。そして、ＣＰＵ７Ａは、冷蔵庫１内のある商品の賞味期限が間近であることを判定した場合には、その旨を示す情報信号を生成して、当該情報信号を画像信号ＤＳとしてＬＣＤ装置８へ出力する。画像信号ＤＳを受信したＬＣＤ装置８は、画面上に、現在、冷蔵庫１内に収納されている商品の商品名を表示した上で、その賞味期限と、当該賞味期限が間近であることを示す情報を画面上に表示する。この商品の在庫の有無の情報及び在庫商品の賞味期限の情報の表示を通じて、人は、冷蔵庫１内に収納されている当該商品が賞味期限間近の商品であるので、賞味期限までに当該商品を食べておく必要性があることを知り得る。
【００３５】
又、図１に例示されている様に、制御部７は、サーバーとして、インターネットＩＮと有線又は無線にて接続されたウェブサイト（図示せず。）を有している。当該ウェブサイト上に於いては、図５に例示される様な、テーブル表示形式で示される各種のバーコード情報が掲載されている。斯かるインターネットＩＮの回線を通じて、人は、スマートフォン９等のインターネット接続可能な端末機を用いて、家の外に居ながら、冷蔵庫１内に収納されている飲食品の有無、収納されている商品の商品名、及び、その賞味期限等の情報を得ることができ、それらの情報を元に、スーパーマーケット等の小売店に於いて、本当に購入すべき飲食品を選択・購入することが可能となる。
【００３６】
＜バーコード読み取り装置が埋設されている冷蔵庫１に於ける人の収納作業＞
【００３７】
以下では、本実施の形態に係る冷蔵庫１に於ける飲食品の収納作業について、記載する。
【００３８】
先ず、人は、スーパーマーケット等の小売店での買い物の作業を終えて自宅に帰った後には、購入した飲食品を直ぐに冷蔵庫１内の各室に収納するのが通常である。
【００３９】
１）その際に、人は、要冷蔵の飲食品の各々を冷蔵庫１の冷蔵室に収納する場合に、扉２を開けた状態を維持しつつ、当該飲食品の包装等に付されているバーコードの部分を第１バーコード読み取り装置ＢＲ１の読み取り面ＢＲ１Ｓに向けて当該第１バーコード情報を第１バーコード読み取り装置ＢＲ１に読み取らす。そして、人は、当該飲食品を、冷蔵室内に直ちに収納する。その結果、この読み取り動作により、第１バーコード読み取り装置ＢＲ１は、当該飲食品に関する第１バーコード情報を与える第１バーコード情報信号Ｓ１を制御部７へ出力する。この第１バーコード情報読み取り作業と、それに引き続く、第１バーコード情報の読み取り後の当該飲食品の冷蔵室内への収納作業とが、冷蔵室に収納すべき購入商品の全てについて、個々に且つ連続的に、扉１を開いた状態を保ちつつ、行われる。そして、購入してきた全商品の内で冷蔵室に収納すべき飲食品の全てが、上記一連の作業を通じて、冷蔵室内に収納された段階で、人は、扉２を閉める。斯かる作業により、購入してきた全商品の内で冷蔵室に収納すべき商品の全てに関する第１バーコード情報が、素早く且つ忘れられることなく確実に読み取られて、制御部７にて管理される。
【００４０】
２）次に、人は、要冷蔵の野菜・果物等の食品の各々を冷蔵庫１の野菜室に収納する。この場合には、人は、野菜室の引き出し扉３を手前に引き出してきた状態を維持しつつ、当該食品の包装等に付されているバーコードの部分を引き出し扉３の側面部３ＤＡＰに埋設されている第２バーコード読み取り装置ＢＲ２の読み取り面ＢＲ２Ｓに向けて当該バーコード情報を第２バーコード読み取り装置ＢＲ２に読み取らす。そして、人は、当該食品を、野菜室内に直ちに収納する。その結果、当該読み取り動作により、第２バーコード読み取り装置ＢＲ２は、当該食品に関する第２バーコード情報を与える第２バーコード情報信号Ｓ２を制御部７へ出力する。斯かる第２バーコード情報の読み取り作業と、それに引き続く、第２バーコード情報の読み取り後の当該食品の野菜室内への収納作業とが、野菜室に収納すべき商品の全てについて、個々に且つ連続的に、引き出し扉３を手前に引き出した状態を保ちつつ、行われる。そして、購入してきた全商品の内で野菜室に収納すべき商品の全てが、上記一連の作業を通じて、野菜室内に収納された段階で、人は、引き出し扉３を閉める。斯かる作業により、購入してきた全商品の内で野菜室に収納すべき商品の全てに関する第２バーコード情報が、素早く且つ忘れられることなく確実に読み取られて、制御部７に於いて管理される。
【００４１】
３）更に、人は、購入した冷凍食品の各々を冷蔵庫１の冷凍室に収納する。この場合には、人は、冷凍室の引き出し扉４を手前に引き出してきた状態を維持しつつ、当該冷凍食品の包装等に付されているバーコードの部分を引き出し扉４の側面部４ＤＡＰに埋設されている第３バーコード読み取り装置ＢＲ３の読み取り面ＢＲ３Ｓに向けて当該バーコード情報を第３バーコード読み取り装置ＢＲ３に読み取らす。そして、人は、当該冷凍食品を、冷凍室内に直ちに収納する。その結果、当該読み取り動作により、第３バーコード読み取り装置ＢＲ３は、当該冷凍食品に関する第３バーコード情報を与える第３バーコード情報信号Ｓ３を制御部７へ出力する。斯かる第３バーコード情報の読み取り作業と、それに引き続く、第３バーコード情報の読み取り後の当該冷凍食品の冷凍室内への収納作業とが、冷凍室に収納すべき商品の全てについて、個々に且つ連続的に、引き出し扉４を手前に引き出した状態を保ちつつ、行われる。そして、購入してきた全商品の内で冷凍室に収納すべき商品の全てが、上記一連の作業を通じて、冷凍室内に収納された段階で、人は、引き出し扉４を閉める。斯かる作業により、購入してきた全商品の内で冷凍室に収納すべき商品の全てに関する第３バーコード情報が、素早く且つ忘れられることなく確実に読み取られて、制御部７に於いて管理される。
【００４２】
以上の通り、バーコード情報の読み取りとそれに引き続く商品の収納という一連の作業の過程に於いて、冷蔵庫１の各室の扉２，３，４の側面部に、読み取り面のみ露出した状態にて、埋設されている各バーコード読み取り装置ＢＲ１，ＢＲ２，ＢＲ３が、その配設位置の利点を活かして、購入されて冷蔵庫１内に収納される全商品のバーコード情報を、素早く且つ洩れ無くして確実に読み取る。その際に、冷蔵庫１内に収納される全商品の各々は、素早く、対応する室内に次から次へと収納されていく。
【００４３】
（変形例１）
図２に例示される様に、第１バーコード読み取り装置ＢＲ１Ａを、扉２の側面部２ＤＡの内で、吸盤部分２ＤＡＡよりも外側に位置した部分、即ち、扉２を閉めた状態においても外部から読み取り面が視認可能な部分に、埋設しても良い。この場合には、冷蔵庫本体の審美性の点では好ましい態様とは必ずしも言えないが、冷蔵室内に飲食品を収納する際に、ほぼ同時に当該飲食品のバーコード情報を読み取ることが出来る。この利点は、実施の形態１に係る第１バーコード読み取り装置ＢＲ１の既述した機能ないしは作用・効果と同一である。
【００４４】
（変形例２）
図１及び図３に例示される様に、第２バーコード読み取り装置ＢＲ２Ａを、野菜室用の引き出し扉３の上面部に、その読み取り面ＢＲ２ＡＳのみが露出される態様で以って、埋設しても良い。この場合には、第２バーコード読み取り装置ＢＲ２Ａの読み取り面ＢＲ２ＡＳは、引き出し扉３の上面の直上に位置する扉５，６の下側部分によって隠された状態となるので、完全に視認されてはいないが、外部より殆ど視認され得ない位置に配設されている。その意味で、第２バーコード読み取り装置ＢＲ２Ａもまた、第２バーコード読み取り装置ＢＲ２と同様に、野菜室が閉じられている場合において外部より視認されない部分に埋設されており、且つ、露出されたバーコード読み取り面ＢＲ２ＡＳを有する「第２バーコード読み取り装置」である。
【００４５】
（変形例３）
図１及び図３に例示される様に、第３バーコード読み取り装置ＢＲ３Ａを、冷凍室用の引き出し扉４の上面部に、その読み取り面ＢＲ３ＡＳのみが露出される態様で以って、埋設しても良い。この場合には、第３バーコード読み取り装置ＢＲ３Ａの読み取り面ＢＲ３ＡＳは、引き出し扉４の上面の直上に位置する引き出し扉３の下側部分によって隠された状態となるので、完全に視認されてはいないが、外部より殆ど視認され得ない位置に配設されている。その意味で、第３バーコード読み取り装置ＢＲ３Ａもまた、第３バーコード読み取り装置ＢＲ３と同様に、冷凍室が閉じられている場合において外部より視認されない部分に埋設されており、且つ、露出されたバーコード読み取り面ＢＲ３ＡＳを有する「第３バーコード読み取り装置」である。
【００４６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００４７】
本考案は、バーコード情報を読み取り可能な冷蔵庫に適用して好適なものである。
【符号の説明】
【００４８】
１              冷蔵庫（冷蔵庫本体）
２              開閉扉（冷蔵室用の扉）
３              野菜室用の引き出し扉
４              冷凍室用の引き出し扉
７              制御部
８              ＬＣＤ装置
９              スマートフォン
２ＤＡ，２ＤＢ  扉の側面部
ＢＲ１          第１バーコード読み取り装置
ＢＲ１Ｓ        第１バーコード読み取り装置のバーコード読み取り面
３ＤＡ，３ＤＢ  野菜室用引き出し扉の側面部
４ＤＡ，４ＤＢ  冷凍室用引き出し扉の側面部
ＢＲ２          第２バーコード読み取り装置
ＢＲ２Ｓ        第２バーコード読み取り装置のバーコード読み取り面
ＢＲ３          第３バーコード読み取り装置
ＢＲ３Ｓ        第３バーコード読み取り装置のバーコード読み取り面
【図１】
0003191774.tif 000003
【図２】
0003191774.tif 000004
【図３】
0003191774.tif 000005
【図４】
0003191774.tif 000006
【図５】
0003191774.tif 000007
【図６】
0003191774.tif 000008